(57)【要約】      （修正有）【課題】電柱の架台上に設置され、制御部の開閉扉に観音開き構造の開閉扉を採用した自動電圧調整器において、制御部の操作部を操作する時の作業者の安全性および作業性を良好にする。【解決手段】自動電圧調整器を構成する制御部３の開閉扉５ａ、５ｂに、観音開き構造を採用するとともに、開閉扉の横幅比率を相違させることによって、横幅比率の大きい一方の開閉扉５ａを開くことによって、操作部６ａ、６ｂの操作を可能とした。【選択図】図３
0003230070.tif 000002
【実用新案登録請求の範囲】
【請求項１】
変圧器と制御部からなり、当該制御部筐体の開閉扉を観音扉とし、当該開閉扉を構成する左右扉の横幅比率を相違させて構成したことを特徴とする自動電圧調整器。
【請求項２】
前記開閉扉を構成する左右扉の横幅比率を７：３として構成したことを特徴とする請求項１記載の自動電圧調整器。
【考案の詳細な説明】
【技術分野】
【０００１】
本考案は、電柱上に設置される自動電圧調整器に関し、当該自動電圧調整器を載置する架台と自動電圧調整器を構成する制御部の操作性、作業性、安全性を向上することのできる装置構造に関するものである。
【背景技術】
【０００２】
電柱上には、電柱に金属製の固定具を介して取り付けられ、一般家庭などへ電力を供給する柱上変圧器のほか、柱上変圧器のタップで対応できない電圧変動を補償する自動電圧調整器などが取り付けられる。
【０００３】
当該自動電圧調整器は、変電所から遠ざかるにつれ、電線路の電気抵抗によって低下してしまった電圧を再度上昇させるもので、郊外に多く見られる。
【０００４】
当該自動電圧調整器には、機械接点式のタップ切換によって電圧調整を行なうＳＶＲや、サイリスタを用いて高速かつ多頻度でタップ切換を行って電圧調整を行うＴＶＲなどが存在する。これら自動電圧調整器は、前述した柱上変圧器よりも大型であるため複数本（例えば、２本）の電柱によって支持される。
【０００５】
このような電柱間の架台は、自動電圧調整器を載置する際などに作業者が架台上から転落することを防止する目的で、その外周に手すり部が設けられることがある。
【０００６】
図４は、電柱上に設置される架台１０１と、架台１０１上に載置されるＴＶＲ１０２を示す平面図である。図４に示すように、架台１０１は二本の電柱１０３ａ，１０３ｂ間に設置されており、１０４は架台１０１の外周に取り付けられた手すり部である。
【０００７】
ＴＶＲ１０２は変圧器部１０５と制御部１０６からなり、制御部１０６はその筐体（以下、制御筐という）１０７内に図示しないサイリスタや制御装置などの各ユニットが収容されている。
【０００８】
制御筐１０７の前面には片開きの開閉扉１０８が取り付けられており、電柱１０３ａ，１０３ｂ上に載置する前の工場などにおけるＴＶＲの製造時に、当該開閉扉１０８を開けることで、前述したサイリスタや各ユニットを制御筐１０７内に収容する。
【０００９】
このように架台１０１上に載置されたＴＶＲは、制御筐１０７内に収容した制御装置の操作部を操作する場合、架台１０１上に作業者が昇り、開閉扉１０８を開放して操作する必要がある。
【００１０】
しかし、架台１０１上で開閉扉１０８を開くと、架台１０１に設けた手すり部１０４と開閉扉１０８が干渉してしまい、制御筐１０７内の制御装置を操作する際に支障を来たす。また、開閉扉１０８を開く際、および、開いた状態では、架台１０１上に十分な作業スペースを確保することが難しい。
【００１１】
そこで、図５に示すように、開閉扉１０８の前面に片開きの小扉１０９を設け、小扉１０９を開くことにより、制御筐１０７内の制御装置の操作が可能となるようにしていた。小扉１０９は開閉扉１０８と比較してサイズが小さいので、開いた場合でも架台１０１の手すり部１０４と干渉することはない。
【００１２】
しかし、開閉扉１０８と別途、小扉１０９を設ければ製品のコストアップとなる。
【００１３】
また、制御筐１０７内のサイリスタや各ユニットが故障した場合には、これらを正常品と交換する必要が生じるが、この交換作業は小扉１０９では対応することができないので、開閉扉１０８を開いて作業する必要があるが、架台１０１上に十分な作業スペースを確保できないので、ＴＶＲ１０２を電柱１０３ａ，１０３ｂから降ろした後、開閉扉１０８を開けて交換作業をしなければならなかった。
【００１４】
そこで、本願出願人は、下記特許文献１において、上記問題を解決するための自動電圧調整器を開示した。
【先行技術文献】
【特許文献】
【００１５】
【特許文献１】特開２０１９−２１３３８８号
【００１６】
図６は上記特許文献１にて開示した自動電圧調整器２００を示しており、図４に示すＴＶＲ１０２同様、変圧器部２０１と制御部２０２からなる。
【００１７】
制御部２０２は制御部の筐体（以下、制御筐という）２０３内に図示しないサイリスタや制御装置などの各ユニットが収容されており、その前面には観音開き（両開き）の開閉扉２０４ａ，２０４ｂが取り付けられている。
【００１８】
図６に示すＴＶＲ２００によれば、開閉扉２０４ａ，２０４ｂを開く際、および、開いた後においても、各開閉扉２０４ａ，２０４ｂは、図４に示す片開きの開閉扉１０８と比較してサイズが小さいので、架台１０１上に十分な作業スペースを確保することができる。
【００１９】
そのため、制御筐２０３内に収容されたサイリスタや制御装置などの各ユニットに故障が生じた場合でも、架台１０１上で開閉扉２０１を開放して、故障した部品やユニットを交換することができる。
【００２０】
つまり、自動電圧調整器２００を架台１０１上から降柱して、故障した部品やユニットの交換作業をする必要がなくなり、作業性が向上する。
【００２１】
また、制御筐２０３内の制御装置を操作する際も、開閉扉２０４ａ，２０４ｂを開いて操作すれば良いので、図５に示すように、制御筐１０７の正面に小扉１０９を設ける必要がなく、製品コストの上昇を抑制することができる。
【考案の概要】
【考案が解決しようとする課題】
【００２２】
然るに、特許文献１記載の自動電圧調整器２００は、上記利点を有する反面、制御装置を操作する際は、小扉を設けた場合と比較して架台１０１上の作業スペースは小さくなる。
【００２３】
また、制御装置の操作部が、両開閉扉２０４ａ，２０４ｂ裏側の中央部に配置されていた場合、両方の開閉扉２０４ａ，２０４ｂを開放して操作する必要があり、面倒である。
【００２４】
そこで、本考案は、開閉扉を開放した場合において、架台上に十分な作業スペースを確保しつつ、制御装置の操作部の操作および架台上における部品やユニットの交換作業を可能とした自動電圧調整器を提供することを目的とする。
【課題を解決するための手段】
【００２５】
請求項１記載の考案は、変圧器と制御部からなり、当該制御部筐体の開閉扉を観音扉とし、当該開閉扉を構成する左右扉の横幅比率を相違させて構成したことに特徴を有する。
【００２６】
請求項２記載の考案は、請求項１記載の開閉扉を構成する左右扉の横幅比率を７：３として構成したことに特徴を有する。
【考案の効果】
【００２７】
請求項１記載の考案によれば、制御装置の操作部が制御部筐体の中央付近に存在する場合でも、横幅寸法の大きい側の開閉扉を開放すれば、操作部を操作することができる。
【００２８】
請求項２記載の考案によれば、左右の開閉扉のいずれを開放しても、架台の手すり部との干渉を防止できる。
【図面の簡単な説明】
【００２９】
【図１】本考案の自動電圧調整器の正面図である。
【図２】本考案の自動電圧調整器を構成する制御部の開閉扉を開放した状態を示す平面図である。
【図３】本考案の自動電圧調整器に係る制御部を示す正面図である。
【図４】従来の自動電圧調整器を構成する制御部の開閉扉を開放した場合の架台手すり部との干渉状態を示す平面図である。
【図５】従来の自動電圧調整器を構成する制御部の正面図である。
【図６】従来の他の自動電圧調整器を構成する制御部の開閉扉を開放した場合の架台手すり部との位置関係を示す平面図である。
【考案を実施するための形態】
【００３０】
以下、本考案の実施の形態を図１乃至図３により説明する。図１（ａ）は本考案に係る自動電圧調整器１を示す正面図であり、同図（ｂ）はその右側面図である。図１に示すように、自動電圧調整器１も、図４，図６に示す従来の自動電圧調整器（ＴＶＲ）１０２，２００同様、変圧器部２と制御部３から構成されている。
【００３１】
制御部３の制御筐４内には図示しないサイリスタや制御装置などの各ユニットが収容されている。
【００３２】
制御筐４の前面には両開きの開閉扉５ａ，５ｂが取り付けられている。各開閉扉５ａ，５ｂの横幅比率ａ：ｂは等しくなく、例えば、７：３に構成されている。
【００３３】
図２は二本の電柱１０３ａ，１０３ｂ間に取り付けた架台１０１上に、図１に示す自動電圧調整器１を載置した状態を示す平面図である。
【００３４】
本考案の自動電圧調整器１は、前述したとおり、制御部３の制御筐４の前面の開閉扉５ａ，５ｂが観音開きであるので、図４に示す自動電圧調整器１０２のように、開閉扉５ａ，５ｂを開いた際に、開閉扉５ａ，５ｂが架台１０１の手すり部１０４に干渉することはない。
【００３５】
したがって、制御部３内に収容されたサイリスタや制御装置などの各ユニットに故障が生じた場合でも、架台１０１上で開閉扉５ａ，５ｂを開放して、故障した部品やユニットを交換するための作業スペースは十分に確保できる。
【００３６】
これにより、架台１０１上から自動電圧調整器１を降柱して、地上で故障した部品やユニットの交換作業をする必要はない。
【００３７】
図３は、図１に示す自動電圧調整器１の制御部３を示す正面図であり、図３に示す６は、制御部３内に収容した制御装置を示しており、６ａ，６ｂは制御装置６の操作部を示している。
【００３８】
制御装置６は、操作部６ａを、図３に示すように、左側の偏った位置に配置する場合もあれば、操作部６ｂのように、中央位置に配置する場合もある。特に、電柱１０３ａ，１０３ｂの架台１０１上など、限られた狭いスペースに設置する電気機器であれば、操作性に配慮して中央位置に配置される場合は多い。
【００３９】
図３に示すように、左側の偏った位置に操作部６ａが配置されていれば、図６に示す開閉扉２０４ａ，２０４ｂのように、横幅比率が等しい開閉扉を採用した場合、操作部６ａが配置されている左側の開閉扉のみを開くことにより、操作部６ａの操作が可能である。
【００４０】
然るに、図３の操作部６ｂのように開閉扉５ａ，５ｂの中央位置に配置された場合、図６に示す横幅比率の等しい開閉扉２０４ａ，２０４ｂを採用している場合は、双方の開閉扉２０４ａ，２０４ｂを開けて操作する必要がある。
【００４１】
一方、本考案の自動電圧調整器１では、制御筐４前面の開閉扉５ａ，５ｂの横幅比率が等しくないので、制御装置６の操作部６ｂが図３に示すように中央位置に配置されている場合においても、横幅比率の大きい一方の開閉扉５ａのみを開けば、操作部６ｂの操作が可能となる。
【００４２】
つまり、図２に示す狭い架台１０１上で両方の開閉扉５ａ，５ｂを開く必要がないので、架台１０１上に十分な作業スペースを確保でき、作業性を高めることができるとともに、作業者の安全性を向上することができる。
【００４３】
開閉扉５ａ，５ｂの横幅比率は、図３に示す制御装置６のどこに操作部が配置されるかによって変更すればよく、開閉扉５ａ，５ｂの一方のみを開けることによって、操作部の操作が可能となる横幅比率を採用すればよい。
【００４４】
特に、図３に示すように、中央位置に操作部６ｂが配置される場合は、横幅比率を７：３に設定すればよい。
【００４５】
なお、上記横幅比率を設定するにあたっては、開閉扉５ａ，５ｂの一方を開けたときに、開閉扉５ａ，５ｂが架台１０１の手すり部１０４に干渉しない横幅寸法とすることが肝要である。
【００４６】
つまり、開閉扉５ａ，５ｂのサイズを決定する際は、片方の開閉扉を開いた状態で操作部６ａ，６ｂの操作を可能としつつ、いずれの開閉扉５ａ，５ｂを開いた状態でも、架台１０１の手すり部１０４に干渉しない大きさとするのである。
【００４７】
以上説明したように、本考案の自動電圧調整器によれば、架台上で開閉扉を開放しても架台の手すり部と干渉しないので、制御部内の各要素が故障等した場合は、架台上で故障要素の交換作業を行うことができ、自動電圧調整器の降柱作業が不要となる。
【００４８】
また、制御装置の操作部を操作する場合は、横幅比率の大きい一方の開閉扉のみを開けばよいので、狭い架台上における安全性および作業性を高めることができる。
【産業上の利用可能性】
【００４９】
本考案は狭い設置場所に設置される電気機器に利用可能である。
【符号の説明】
【００５０】
１，１０２，２００  自動電圧調整器
２，１０５，２０１  変圧器部
３，１０６，２０２  制御部
４，１０７，２０３  制御筐
５ａ，５ｂ，１０８，２０４ａ，２０４ｂ  開閉扉
６  制御装置
６ａ，６ｂ  操作部
１０１  架台
１０３ａ，１０３ｂ  電柱
１０４  手すり部
１０９  小扉
【図１】
0003230070.tif 000003
【図２】
0003230070.tif 000004
【図３】
0003230070.tif 000005
【図４】
0003230070.tif 000006
【図５】
0003230070.tif 000007
【図６】
0003230070.tif 000008